(57)【要約】    【課題】  ユーザの視聴効率を向上するとともに、操作性を改善した放送受信表示装置を提供する。    【解決手段】  ユーザが放送番組チャンネルを頻繁に切替える操作を繰り返したと検出された場合（Ｓ２０１、Ｓ２０４、Ｓ２０８でそれぞれＹＥＳ）、ユーザが視聴したい番組が現在放送されていないと判断し、ＨＤＤに録画されている録画番組リストを自動的に表示してユーザに提示する（Ｓ２０９）。【選択図】      図４
2005109982.tif 000002
【特許請求の範囲】
【請求項１】
放送番組を受信する受信手段と、
前記受信手段によって受信された放送番組を録画再生する録画再生手段と、
前記録画再生手段によって録画された録画番組を基に録画番組リストを生成するリスト生成手段と、
前記リスト生成手段によって生成された録画番組リストを表示装置に表示する表示制御手段と
を有することを特徴とする放送受信表示装置。
【発明の詳細な説明】
【技術分野】
【０００１】
本発明は、放送受信表示装置に関し、特に、放送番組を受信し表示するとともに、録画再生も行う放送受信表示装置に関する。
【０００２】
上記の放送受信表示装置は、例えば衛星放送等の多チャンネル放送を受信する複数のチューナを有し、録画装置に多くの放送番組の記録を行ない、放送映像と録画映像とをマルチ画面合成した上で表示するものである。
【背景技術】
【０００３】
近年、デジタル衛星放送等における放送の多チャンネル化に伴って、視聴チャンネル数が飛躍的に増大してきている。
【０００４】
一方、ハードディスク（以下「ＨＤＤ」という）を用いて放送番組のデジタル録画を行なうハードディスク内蔵ＢＳデジタルチューナ（例えばシャープ社、型名：ＴＵ−ＨＶＲ１００）が市販されている。こうしたデジタル録画機器では、ＥＰＧ（電子番組表）などを用いて、ユーザが簡単な操作で視聴予約及び録画などを行うことが可能となっている。また上記のデジタル録画機器には、ユーザが所望するお好み条件等を予め登録しておくことにより、お好み条件を満たす放送番組が自動的に録画される機能も備えられている。これらの機能を装備したデジタル録画機器では、放送番組の録画が頻繁に行なわれる可能性があり、そのため、ＨＤＤ等は大きな記録容量を備えており、大量の番組録画が可能となっている。
【０００５】
以上のように、多チャンネル化が進行する一方で、デジタル録画機器に大量の番組録画が行われる可能性がある。そうした状況下では、放送番組および録画番組を視聴するために多大な時間が必要となる。限られた時間の中でこれらを視聴するには、マルチ画面表示方法が有効である。マルチ画面表示方法は、１つの画面を複数に分割して、複数の番組を同時に表示するものであり、効率的な視聴が可能となる。また、ユーザは複数の番組の中から好みの番組を選んで視聴することができる。
【０００６】
先行技術が文献公知発明に係るものではない。
【発明の開示】
【発明が解決しようとする課題】
【０００７】
しかしながら、上記従来のデジタル録画機器において、例えば、視聴したい放送番組があり、それが始まるまでの空き時間を有効利用して録画番組を視聴したような場合、ユーザ自らが放送番組の開始時刻の到来を常にチェックしなければならず、録画番組の視聴に夢中になって、肝心の放送番組を見逃してしまう可能性もあった。なお、こうしたことを考慮して、視聴したい放送番組の開始時刻までに見終わることのできる録画番組を探して、その録画番組を視聴するようにすれば、上記のような問題は回避されるが、ユーザ自らが膨大な録画番組のなかから、これに適した録画番組を選び出さなくてはならず、これはユーザにとって大きな負担であった。
【０００８】
本発明はこのような問題点に鑑みてなされたものであって、ユーザの視聴効率を向上するとともに、操作性を改善した放送受信表示装置を提供することを目的とする。
【課題を解決するための手段】
【０００９】
上記目的を達成するために、本発明によれば、放送番組を受信する受信手段と、前記受信手段によって受信された放送番組を録画再生する録画再生手段と、前記録画再生手段によって録画された録画番組を基に録画番組リストを生成するリスト生成手段と、前記リスト生成手段によって生成された録画番組リストを表示装置に表示する表示制御手段とを有することを特徴とする放送受信表示装置が提供される。
【発明の効果】
【００１０】
以上詳述したように本発明によれば、ユーザが放送番組チャンネルを頻繁に切替える操作を繰り返したと検出された場合、ユーザが視聴したい番組が現在放送されていないと判断し、ＨＤＤに録画されている録画番組リストを自動的に表示してユーザに提示する。
【００１１】
これにより、ユーザが改めて録画再生装置に対して再生指示する手間が省ける利点がある。また、録画番組リストが提示されることで、ユーザは録画番組も視聴対象として選択することができる。さらに、録画番組を見忘れてしまうことも防止できる。
【００１２】
また、ユーザが予め設定して時刻に録画番組リストを提示するようにする。
【００１３】
これにより、例えば、朝、深夜に録画されていた録画番組を把握したり、帰宅時にその日の昼間に録画された録画番組を把握したりすることができる。毎日決まった時刻に録画番組を把握することが可能となることで、録画番組のチェックのし忘れがなくなる。また、ユーザは録画番組リストを表示させる操作から開放されつつ、最新の録画番組などをいち早く把握することが可能となる。
【００１４】
また、ユーザが視聴可能な空き時間を入力することにより、ユーザの視聴可能時間内に視聴を完了できる録画番組を抽出して、抽出された録画番組のリストを提示する。
【００１５】
これにより、空き時間に全部を視聴し終える録画番組を容易に把握することができ、空き時間を無駄にすることがなく、視聴時間を有効に活用することが可能となる。
【００１６】
さらに、視聴予約がある場合、視聴予約された放送番組の開始時刻までに見終わることができる録画番組を抽出して、抽出された録画番組のリストを提示する。
【００１７】
これにより、ユーザ自らが膨大な録画番組の中から、見終わることができる番組を選び出す手間が省ける。また、録画番組を視聴しつつ、見たい放送番組の開始時刻を常に気にすることもなく、さらに、録画番組の視聴に夢中になって、見たいと思っていた放送番組を見逃してしまうこともなくなる。
【発明を実施するための最良の形態】
【００１８】
以下、本発明の実施の形態を、図面を参照して説明する。
【００１９】
［第１の実施の形態］
図１は、本発明に係る放送受信表示装置の第１の実施の形態の構成を示すブロック図である。
【００２０】
第１の実施の形態では、２つのチューナからの放送映像と録画映像とを、予め決められた所定の表示レイアウト情報に基づき、１つの表示画面に合成表示できるように構成している。なお、チューナの数は２つよりさらに多い数でもよいし、またＨＤＤからの録画映像の数は１つよりさらに多い数でもよい。
【００２１】
図１において１はデジタル放送波を受信するアンテナであり、ＢＳデジタル放送やＣＳデジタル放送等を受信する。なお、本実施の形態では衛星放送を受信することを前提にしているが、ケーブルテレビなどからの受信であってもよい。
【００２２】
２はデジタルチューナであり、受信した放送波の中から後述のＣＰＵ２０の指示に従い所望の周波数を選択する。デジタルチューナ２からの信号は、復調＆エラー訂正回路３に送られて、復調処理が施されるとともに誤り訂正処理などが施され、トランスポートストリームとしてデマルチプレクサ４−１に送られる。デマルチプレクサ４−１は、前記トランスポートストリームからＣＰＵ２０の指定するＰＩＤ（Packet IDentifier）を持つストリームを選択し、所望の番組の放送映像データ及び放送音声データと番組情報とに分離し、放送映像データは映像デコーダ５−１に送り、放送音声データは音声デコーダ１０−１に送る。
【００２３】
映像デコーダ５−１では放送映像データが非圧縮の映像データにデコードされ、デジタルの放送映像が得られる。このデジタルの放送映像は解像度変換部６−１へ送られ、ここでＣＰＵ２０により指示された解像度に変換される。
【００２４】
一方、復調＆エラー訂正回路３からのトランスポートストリーム信号は分岐し、ＨＤＤインタフェース１１を介してＨＤＤ１２に書き込まれる。ＨＤＤインタフェース１１は、ＣＰＵ２０の指示によりハードディスク制御を行なう。ＨＤＤ１２への書き込みの際、番組情報に基づき、番組ごとに録画時間、番組名等がＨＤＤ１２に書き込まれる。
【００２５】
ＨＤＤ１２に書き込まれたトランスポートストリーム信号は、ＨＤＤインタフェース１１を介しデマルチプレクサ４−２に送られる。デマルチプレクサ４−２では、多重化されたストリームから、ＣＰＵ２０の指定するＰＩＤを持つストリームが選択され、録画映像ストリームは映像デコーダ５−２に送られる。映像デコーダ５−２では、録画映像ストリームが非圧縮の映像データにデコードされてデジタルの録画映像が得られる。このデジタルの録画映像は解像度変換部６−２へ送られ、そこでＣＰＵ２０の指定する解像度に変換される。デマルチプレクサ４−２から出力された録画音声ストリームは音声デコーダ１０−２に送られる。
【００２６】
次にアナログ地上波の受信部について説明を行なう。
【００２７】
１３はアナログ地上波を受信するアンテナであり、既存のアナログ地上波を受信する。１４はアナログチューナであり、受信した放送波の中からＣＰＵ２０の指示に従い所望の周波数を選択する。アナログチューナ１４から出力された信号はＭＰＥＧエンコーダ１５へ入力され、トランスポートストリームとしてデマルチプレクサ４−３へ送られる。デマルチプレクサ４−３は、トランスポートストリームから放送映像データと放送音声データとを分離して取り出し、放送映像データは映像デコーダ５−３に送り、放送音声データは音声デコーダ１０−３に送る。映像デコーダ５−３では放送映像データが非圧縮の映像データにデコードされ、デジタルの放送映像が得られる。このデジタルの放送映像は解像度変換部６−３へ送られ、ここでＣＰＵ２０により指示された解像度に変換される。
【００２８】
一方、ＭＰＥＧエンコーダ１５からのトランスポートストリーム信号は分岐し、ＨＤＤインタフェース１１を介してＨＤＤ１２に書き込まれる。ＨＤＤ１２への書き込みの際、番組ごとに録画時間、番組名等がＨＤＤ１２に書き込まれる。ＨＤＤ１２に書き込まれたトランスポートストリーム信号は、上記で説明したデジタル放送波の受信系と同様に、ＣＰＵ２０の指示によりＨＤＤ制御を行なうＨＤＤインタフェース１１を介してデマルチプレクサ４−２に送られる。
【００２９】
解像度変換部６−１〜６−３には、ＣＰＵ２０が表示フォーマット（表示ライン数やドット数、色数）と予めプリセットされた表示レイアウト情報とに基づき、各映像入力ソース別に解像度変換パラメータ（拡大縮小率・表示位置・拡大縮小の重み付けフィルタ係数など）を設定する。こうした設定に従い、解像度変換部６−１〜６−３は、それぞれの映像入力系統毎に出力映像の縮小・等倍・拡大処理を行なう。
【００３０】
合成部７は、解像度変換部６−１〜６−３から送られた映像データを１つの映像にマルチ画面合成するものであり、また、必要に応じてＣＰＵ２０からの制御により、ＧＵＩ生成部２７にて生成されたＧＵＩデータもこの映像に合成される。なお、このＧＵＩデータは、すべての入力映像データに基づく合成映像の上に、最優先にて合成されるものとする。合成されたマルチ画面映像は、ＤＡＣ（Digital Analog Converter）８によりアナログ信号に変換される。９は映像を表示する表示装置であり、マトリクス電極構造を持つフラットパネル（ＰＤＰ、液晶等）かＣＲＴで構成される。なお、本実施の形態の表示装置９は、７２０Ｐ以上のハイビジョン映像を表示できる大画面高精細ディスプレイが好適である。
【００３１】
次に音声部の説明を行なう。
【００３２】
音声デコーダ１０−１からの放送音声と、音声デコーダ１０−２からの録画音声と、音声デコーダ１０−３からの放送音声とは、音声セレクタ（ＳＥＬ）１６へ入力され、ＣＰＵ２０からの切替え制御により、いずれかの音声信号が選択される。選択された音声信号はＤＡＣ（Digital Analog Converter）１７でオーディオ信号に変換され、アンプ（ＡＭＰ）１８にて増幅され，スピーカ１９から音声として出力される。
【００３３】
ＣＰＵ２０は本システム全体を制御するものであり、ＣＰＵ２０には、ＣＰＵ２０のデータを一時格納するＲＡＭ２１、制御プログラムを格納するＲＯＭ２２、時刻を管理するＲＴＣ（Real Time Clock）２３、不揮発性メモリ２４が接続される。なおＲＴＣ２３は、デジタル放送から得られる時刻情報を用いて、時刻の自動補正をするようにしてもよい。不揮発性メモリ２４は、リモコン（リモートコントローラ）２５を用いた電源ＯＦＦ時に、受信していたチャンネル番号、音量などを記憶する機能を持つ。リモコンＩ／Ｆ２６は、ユーザの操作アクションを受け付けるリモコン２５から出力される赤外線コードを受光し、電気信号に変換してＣＰＵ２０へ送る。なおＣＰＵ２０は、論理ロジックのみで構成されていても、並列演算が可能なメディアプロセッサであってもよい。また、制御プログラムは、ＲＯＭ２２に内蔵されるのではなく、図示しない周辺入出力インタフェースを介して外部から転送されるようにしてもよい。
【００３４】
ＧＵＩ生成部２７は、ＣＰＵ２０の指示により、後に述べる録画番組リストのグラフィックデータの生成を行なう。ＧＵＩ生成部２７は、グラフィックデータを生成できればよく、汎用品で構成してもよいし、専用エンジンを用いてもよい。
【００３５】
２８は、ＣＰＵ２０と各部とを結ぶ共通バスであり、各部を制御するために使用される。
【００３６】
以上のように構成される放送受信表示装置の動作を、図２を参照して以下に説明する。
【００３７】
図２は、ＣＰＵ２０で実行される制御の手順を示すフローチャートである。
【００３８】
ステップＳ１００で電源投入を検知すると、ステップＳ１０１で、表示レイアウト情報をＲＯＭ２２から取得する。
【００３９】
図３は、マルチ画面表示の一例を示す図である。
【００４０】
上記表示レイアウト情報は、こうした複数の画面が同時に表示されるマルチ画面における主画面３０および子画面３１，３２の表示レイアウトに関する情報である。本実施の形態における表示レイアウトでは、主画面３０にてユーザが好みの放送映像を視聴しつつ、子画面３１では主画面３０とは別のチューナで受波された放送映像を表示し、子画面３２では録画済みである録画番組を表示している。なお、図３に示す表示レイアウトは一例であり、これに限定されるものではない。
【００４１】
図２に戻って、ステップＳ１０２では、不揮発性メモリ２４から、電源ＯＦＦ時に主画面３０に表示していた放送映像（ここではデジタル放送映像とする）のチャンネル番号および音量設定を読み込む。ステップＳ１０３では、不揮発性メモリ２４から、電源ＯＦＦ時に、子画面（１）３１に表示していた放送映像（ここではアナログ放送映像とする）のチャンネル番号を読み込む。ステップＳ１０４では、ステップＳ１０２で読み込んだチャンネル番号に相当する周波数をデジタルチューナ２に設定し、ステップＳ１０５では、ステップＳ１０３で読み込んだチャンネル番号に相当する周波数をアナログチューナ１４に設定する。
【００４２】
ステップＳ１０６では、ＣＰＵ２０がデマルチプレクサ４−１を介して読みとったＰＡＴ（Program Association Table）とＰＭＴ（Program Mapped Table）とを基に、目的のチャンネルの映像と音声のＰＩＤを知り、そのＰＩＤでフィルタリングするようにデマルチプレクサ４−１を設定する。ステップＳ１０７では、ステップＳ１０１で取得した表示レイアウト情報に基づき解像度変換部６−１に、主画面３０の表示位置に関する適切な拡大縮小率を設定する。次にステップＳ１０８では、前記表示レイアウト情報に基づき解像度変換部６−３に、子画面３１の表示位置に関する適切な拡大縮小率を設定する。
【００４３】
ステップＳ１０９では、ＨＤＤインタフェース１１に対し、ＨＤＤ１２に録画された番組の映像データを送るように要求する。ＨＤＤインタフェース１１は、電源投入直後の場合、録画した日付の最も新しい録画番組を選んでその映像データを送る。ステップＳ１１０では、前記表示レイアウト情報に基づき解像度変換部６−２に、子画面（２）３２の表示位置に関する適切な拡大縮小率を設定する。ステップＳ１１１では、前記表示レイアウト情報に基づき合成部７に、各入力映像の映像合成位置を設定する。
【００４４】
ステップＳ１１２では、主画面３０にデジタルチューナ２の受波映像、子画面３１にアナログチューナ１４の受波映像、子画面３２にＨＤＤ１２から再生された録画映像が配置され、図３に示すマルチ画面が表示される。
【００４５】
音声については、デマルチプレクサ４−１〜４−３からの音声ストリームがそれぞれ、音声デコーダ１０−１〜１０−３にてデコードされ、音声セレクタ１６が、主画面３０に表示される映像に対応する音声信号を扱う音声デコーダ１０−１の出力音声信号を選択し、選択された音声信号はＤＡＣ１７、アンプ１８を通り、スピーカ１９から音声として出力される。
【００４６】
本実施の形態では、主画面３０で表示されるべき映像をユーザが頻繁に切替えるときは、ユーザの好む放送番組が見当たらないと看做して、ＨＤＤ１２に録画済の録画番組のリストを自動的にユーザに提示する。これを、図４を参照して説明する。
【００４７】
図４は、ＣＰＵ２０で実行される録画番組リストの表示処理の手順を示すフローチャートである。
【００４８】
まず、ステップＳ２００においては、表示画面が図３に示すような３画面のマルチ画面となっており、ユーザが主画面３０で、受信した放送番組の映像を視聴している状態である。ここで今、主画面３０にて視聴していた放送番組が終了したとする。そしてこの放送終了に伴い、ユーザがリモコン操作により、好みの番組を探すべく、主画面３０に表示されている放送番組を次々に切替えていると想定する。
【００４９】
ステップＳ２０１では、主画面３０に表示されている放送番組を切替えるべく、チャンネル切替え操作がされたか否かを判別し、この操作がされたならばステップＳ２０２に進み、チャンネル切替えを行なう。
【００５０】
ステップＳ２０３では、ユーザが前回行なったチャンネル切替え操作時刻を不揮発性メモリ２４から取得し、また、現在時刻をＲＴＣ２３から取得し、ステップＳ２０４で、両時刻の差として得られる切替え操作間隔が所定値ｘ（例えば２秒）よりも小さいか否かを判断する。切替え操作間隔が所定値ｘよりも小さいならば、ステップＳ２０７へ進み、切替え操作間隔が所定値ｘ以上であるならば、ステップＳ２０５へと進む。
【００５１】
ステップＳ２０５では、ユーザがチャンネル切替え操作を頻繁に行う、いわゆるザッピング視聴ではなく、通常のチャンネル切替えと見なして、ユーザによりチャンネル切替え操作がされた最新のチャンネル切替え時刻を不揮発性メモリ２４にメモリする。そして、ステップＳ２０６では、頻繁なチャンネル切替えの切替え回数をカウントするカウンタである切替えカウントフラグをクリアし、ＩＤＬＥ状態へと戻る。
【００５２】
一方、ステップＳ２０７では、切替えカウントフラグに１を加算する。次にステップＳ２０８では、切替えカウントフラグが所定値ｙ（例えば５回）よりも大きいか否かを判断する。切替えカウントフラグが所定値ｙ以下であれば、ＩＤＬＥ状態となる。所定値ｙより大きいならばステップＳ２０９へ進み、録画番組リストをマルチ画面上に重ねて表示する。
【００５３】
図５は、録画番組リストが重ねて表示されたマルチ画面の例を示す図である。
【００５４】
すなわち、チャンネル切替え操作を、例えば２秒よりも小さい間隔で、且つ、例えば５回よりも多い回数に亘って連続して行った場合に、ユーザがザッピング視聴を行っていると見做し、ＨＤＤ１２に録画済みの録画番組の一覧リスト４０をマルチ画面上に自動的に表示する。
【００５５】
なお、本実施の形態では録画番組の一覧リスト４０を文字テキストで一覧表示するようにしているが、表示方法はこれに限るものではなく、録画番組の代表画面のサムネイルの一覧表示であってもよい。
【００５６】
［第２の実施の形態］
次に第２の実施の形態を説明する。
【００５７】
第２の実施の形態の構成は、基本的に第１の実施の形態の構成と同じであるので、第２の実施の形態の説明においては、第１の実施の形態の構成を流用する。
【００５８】
第２の実施の形態では、ＣＰＵ２０で実行される録画番組リストの表示処理の内容が第１の実施の形態と異なる。第２の実施の形態では、ユーザが予め任意の時刻を設定しておき、この設定された時刻になると、自動的に録画番組リストがマルチ画面に表示される。
【００５９】
図６は、第２の実施の形態におけるＣＰＵ２０で実行される録画番組リストの表示処理の手順を示すフローチャートである。
【００６０】
ステップＳ３０１にて、録画番組リストを表示させる時刻のプリセットを行なう。この時刻のプリセットは、録画番組リストを表示させる時刻の入力画面を用いテ、ユーザが所望時刻をリモコン等にて入力する。また、入力された時刻情報は不揮発性メモリ２４にメモリされる。
【００６１】
図７は、録画番組リストを表示させる時刻の入力画面が表示されたマルチ画面の例を示す図である。図中４３が時刻の入力画面である。
【００６２】
図６に戻ってステップＳ３０２で、ＲＴＣ２３から現在時刻を取得し、ステップＳ３０３で、不揮発性メモリ２４にメモリされている時刻情報と、ＲＴＣ２３から取得した現在時刻とを比較し、現在時刻がプリセット時刻に至っていればステップＳ３０４に進んで、最新の録画番組リストをマルチ画面上に重ねて表示する。図８は、最新の録画番組リストが表示されたマルチ画面の一例を示す図である。図中４１が最新の録画番組リストである。
【００６３】
［第３の実施の形態］
次に第３の実施の形態を説明する。
【００６４】
第３の実施の形態の構成は、基本的に第１の実施の形態の構成と同じであるので、第３の実施の形態の説明においては、第１の実施の形態の構成を流用する。
【００６５】
第３の実施の形態では、ＣＰＵ２０で実行される録画番組リストの表示処理の内容が第１の実施の形態と異なる。第３の実施の形態では、ユーザによって入力された任意の視聴可能な空き時間に基づき、ＨＤＤ１２に格納されている録画番組の中から、この視聴可能時間内に視聴完了できる録画番組を抽出し、これらの抽出された録画番組のリストを表示する。
【００６６】
図９は、第３の実施の形態におけるＣＰＵ２０で実行される録画番組リストの表示処理の手順を示すフローチャートである。
【００６７】
ステップＳ４０１では、ユーザによって任意の視聴可能な空き時間の入力が行われる。この入力は、第２の実施の形態と同様に、リモコン等を使用して行われる。本実施の形態では例えば、視聴可能時間として１時間が入力されたものとする。
【００６８】
ステップＳ４０２では、ＨＤＤ１２に映像録画時に記録された各録画時間を検索し、ステップＳ４０１で入力された視聴可能時間以下の録画時間をもつ録画番組を抽出する。なお、番組途中に挿入されているコマーシャルフィルム部分を早見することを考慮して、ステップ４０２における視聴可能時間内の録画番組検索の際、視聴可能時間より例えば１０％程度長い時間以下の録画時間をもつ録画番組を抽出するようにしてもよい。
【００６９】
ステップＳ４０３では、ステップＳ４０２で抽出された録画番組のリストを作成し、ステップＳ４０４にて、このリストをマルチ画面上に重ねて表示する。図１０は、視聴可能時間内の録画番組リストが表示されたマルチ画面の一例を示す図である。図中４２が視聴可能時間内の録画番組リストである。
【００７０】
［第４の実施の形態］
次に第４の実施の形態を説明する。
【００７１】
第４の実施の形態の構成は、基本的に第１の実施の形態の構成と同じであるので、第４の実施の形態の説明においては、第１の実施の形態の構成を流用する。
【００７２】
第４の実施の形態では、ユーザが放送番組の視聴予約をしていた場合に、現在時刻から視聴予約した番組の開始時刻までの間の時間に見終われる録画番組を探して、そうした録画番組のリストを提示するようにする。
【００７３】
図１１は、第４の実施の形態におけるＣＰＵ２０で実行される録画番組リストの表示処理の手順を示すフローチャートである。
【００７４】
ステップＳ５０１は、第１の実施の形態における図４のステップＳ２０８までの処理、または第２の実施の形態における図６のステップＳ３０３までの処理に相当し、ステップＳ２０８またはステップＳ３０３で判別がＹＥＳとなったときステップＳ５０２に進む。
【００７５】
ステップＳ５０２では、番組視聴の予約があるか否かを判断する。視聴予約がなければステップＳ５０３へ進み、ＨＤＤ１２に録画されている録画番組全部のリスト（例えば図５に示すような録画番組リスト４０）をマルチ画面上に表示する。そしてＩＤＬＥ状態へと戻る。
【００７６】
ステップＳ５０２にて番組視聴の予約があると判断された場合は、ステップＳ５０４へ進み、ＲＴＣ２３から現在時刻を取得し、番組視聴予約された時刻までの差分時間を算出する。次のステップＳ５０５では、ＨＤＤ１２に録画されている録画番組の中から、ステップＳ５０４で算出された差分時間以下の録画時間をもつ録画番組を抽出する。ステップＳ５０６では、ステップＳ５０５で抽出された録画番組の一覧リストを作成する。ステップＳ５０７では、この録画番組の一覧リストをマルチ画面上に表示する。
【００７７】
例えば、現在時刻を２０：００、視聴予約時刻を２１：００とした場合、差分時間は１時間となり、例えば図１０に示すような録画番組リスト４２が表示される。
【００７８】
［他の実施の形態］
上記の第１ないし第４の実施の形態において、録画番組リストをユーザに提示する際、再生途中で一時中断している録画番組が存在する場合には、その旨を録画番組リストに記載するようにしてもよい。
【００７９】
なお、本発明の目的は、前述の各実施の形態の機能を実現するソフトウェアのプログラムコードを記録した記憶媒体を、システムまたは装置に供給し、そのシステムまたは装置のコンピュータ（またはＣＰＵ、ＭＰＵ等）が記憶媒体に格納されたプログラムコードを読み出して実行することによっても達成される。
【００８０】
この場合、記憶媒体から読み出されたプログラムコード自体が前述した各実施の形態の機能を実現することになり、そのプログラムコードを記憶した記憶媒体は本発明を構成することになる。
【００８１】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ−Ｒ、磁気テープ、不揮発性のメモリカード、ＲＯＭ等を用いることができる。
【００８２】
また、コンピュータが読み出したプログラムコードを実行することにより、上記の各実施の形態の機能が実現されるだけでなく、そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【００８３】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した各実施の形態の機能が実現される場合も含まれる。
【００８４】
以上のように、本発明の各種の実施の形態を示して説明したが、以下に本発明の実施態様の例を列挙する。
【００８５】
〔実施態様１〕  放送番組を受信する受信手段と、
前記受信手段によって受信された放送番組を録画再生する録画再生手段と、
前記録画再生手段によって録画された録画番組を基に録画番組リストを生成するリスト生成手段と、
前記リスト生成手段によって生成された録画番組リストを表示装置に表示する表示制御手段と
を有することを特徴とする放送受信表示装置。
【００８６】
〔実施態様２〕  ユーザが前記受信手段に対して、受信すべき放送番組の切替え指示を、所定頻度を越えて与えているか否かを判断する判断手段をさらに有し、
前記表示制御手段は、前記判断手段によって前記切替え指示が前記所定頻度を越えて与えられていると判断されたときに、前記録画番組リストを前記表示装置に表示することを特徴とする実施態様１に記載の放送受信表示装置。
【００８７】
〔実施態様３〕  前記判断手段は、切替え指示が所定時間よりも短い間隔で、所定数よりも多い回数に亘って連続してユーザから与えられているか否かを判断することを特徴とする実施態様２に記載の放送受信表示装置。
【００８８】
〔実施態様４〕  前記表示制御手段は、ユーザによって指定された時刻において前記録画番組リストを前記表示装置に表示することを特徴とする実施態様１に記載の放送受信表示装置。
【００８９】
〔実施態様５〕  前記リスト生成手段は、前記録画再生手段によって録画された録画番組の全部で構成される録画番組リストを生成することを特徴とする実施態様１に記載の放送受信表示装置。
【００９０】
〔実施態様６〕  前記リスト生成手段は、前記録画再生手段によって録画された録画番組の全部の中から、ユーザによって指定された時間内に視聴を完了できる録画番組を抽出して、該抽出された録画番組で構成される録画番組リストを生成することを特徴とする実施態様１に記載の放送受信表示装置。
【００９１】
〔実施態様７〕  ユーザから前記受信手段に対する、受信すべき放送番組の予約指示を受け付ける予約指示受付手段と、
前記予約指示受付手段によって予約指示が受け付けられているとき、該予約指示が予約している放送番組の開始時刻と現在時刻との差分時間を算出する算出手段とを更に有し、
前記リスト生成手段は、前記録画再生手段によって録画された録画番組の全部の中から、前記算出手段によって算出された差分時間内に視聴を完了できる録画番組を抽出して、該抽出された録画番組で構成される録画番組リストを生成することを特徴とする実施態様１に記載の放送受信表示装置。
【００９２】
〔実施態様８〕  前記リスト生成手段は、再生途中で一時中断している録画番組が存在する場合、その旨を前記録画番組リストに記載することを特徴とする実施態様１乃至実施態様７に記載の放送受信表示装置。
【００９３】
〔実施態様９〕  前記受信手段によって受信された放送番組と、前記録画再生手段によって録画された録画番組と、前記リスト生成手段によって生成された録画番組リストとを１つの画面にマルチ画面合成する合成手段を更に有することを特徴とする実施態様１乃至実施態様８に記載の放送受信表示装置。
【００９４】
〔実施態様１０〕  放送番組を受信する受信手段と、該受信手段によって受信された放送番組を録画再生する録画再生手段と、前記受信手段によって受信された放送番組、及び前記録画再生手段によって再生された録画番組を表示する表示装置と備えた放送受信表示装置に適用される録画番組リスト提示方法について、
前記録画再生手段によって録画された録画番組を基に録画番組リストを生成するリスト生成ステップと、
前記リスト生成ステップによって生成された録画番組リストを前記表示装置に表示する表示ステップと
を有することを特徴とする録画番組リスト提示方法。
【００９５】
〔実施態様１１〕  ユーザが前記受信手段に対して、受信すべき放送番組の切替え指示を、所定頻度を越えて与えているか否かを判断する判断ステップをさらに有し、
前記表示ステップは、前記判断ステップによって前記切替え指示が前記所定頻度を越えて与えられていると判断されたときに、前記録画番組リストを前記表示装置に表示することを特徴とする実施態様１０に記載の録画番組リスト提示方法。
【００９６】
〔実施態様１２〕  前記表示ステップは、ユーザによって指定された時刻において前記録画番組リストを前記表示装置に表示することを特徴とする実施態様１０に記載の録画番組リスト提示方法。
【００９７】
〔実施態様１３〕  前記リスト生成ステップは、前記録画再生手段によって録画された録画番組の全部の中から、ユーザによって指定された時間内に視聴を完了できる録画番組を抽出して、該抽出された録画番組で構成される録画番組リストを生成することを特徴とする実施態様１０に記載の録画番組リスト提示方法。
【００９８】
〔実施態様１４〕  ユーザから前記受信手段に対する、受信すべき放送番組の予約指示を受け付ける予約指示受付ステップと、
前記予約指示受付ステップによって予約指示が受け付けられているとき、該予約指示が予約している放送番組の開始時刻と現在時刻との差分時間を算出する算出ステップとを更に有し、
前記リスト生成ステップは、前記録画再生手段によって録画された録画番組の全部の中から、前記算出ステップによって算出された差分時間内に視聴を完了できる録画番組を抽出して、該抽出された録画番組で構成される録画番組リストを生成することを特徴とする実施態様１０に記載の録画番組リスト提示方法。
【００９９】
〔実施態様１５〕  放送番組を受信する受信手段と、該受信手段によって受信された放送番組を録画再生する録画再生手段と、前記受信手段によって受信された放送番組、及び前記録画再生手段によって再生された録画番組を表示する表示装置と備えた放送受信表示装置に適用される録画番組リスト提示方法を、コンピュータに実行させるためのプログラムにおいて、
前記録画番組リスト提示方法が、
前記録画再生手段によって録画された録画番組を基に録画番組リストを生成するリスト生成ステップと、
前記リスト生成ステップによって生成された録画番組リストを前記表示装置に表示する表示ステップと
を有することを特徴とするプログラム。
【０１００】
〔実施態様１６〕  放送番組を受信する受信手段と、該受信手段によって受信された放送番組を録画再生する録画再生手段と、前記受信手段によって受信された放送番組、及び前記録画再生手段によって再生された録画番組を表示する表示装置と備えた放送受信表示装置に適用される録画番組リスト提示方法をプログラムとして記憶した、コンピュータにより読み出し可能な記憶媒体において、
前記録画番組リスト提示方法が、
前記録画再生手段によって録画された録画番組を基に録画番組リストを生成するリスト生成ステップと、
前記リスト生成ステップによって生成された録画番組リストを前記表示装置に表示する表示ステップと
を有することを特徴とする記憶媒体。
【図面の簡単な説明】
【０１０１】
【図１】本発明に係る放送受信表示装置の第１の実施の形態の構成を示すブロック図である。
【図２】ＣＰＵで実行される制御の手順を示すフローチャートである。
【図３】マルチ画面表示の一例を示す図である。
【図４】第１の実施の形態におけるＣＰＵで実行される録画番組リストの表示処理の手順を示すフローチャートである。
【図５】録画番組リストが重ねて表示されたマルチ画面の例を示す図である。
【図６】第２の実施の形態におけるＣＰＵで実行される録画番組リストの表示処理の手順を示すフローチャートである。
【図７】録画番組リストを表示させる時刻の入力画面が表示されたマルチ画面の例を示す図である。
【図８】最新の録画番組リストが表示されたマルチ画面の一例を示す図である。
【図９】第３の実施の形態におけるＣＰＵで実行される録画番組リストの表示処理の手順を示すフローチャートである。
【図１０】視聴可能時間内の録画番組リストが表示されたマルチ画面の一例を示す図である。
【図１１】第４の実施の形態におけるＣＰＵで実行される録画番組リストの表示処理の手順を示すフローチャートである。
【符号の説明】
【０１０２】
１  アンテナ（デジタル放送、受信手段）
２  デジタルチューナ（受信手段）
３  復調＆エラー訂正回路
４−１，４−２，４−３  デマルチプレクサ
５−１，５−２，５−３  映像デコーダ
６−１，６−２，６−３  解像度変換部
７  合成部（表示制御手段）
８  ＤＡＣ
９  表示装置
１０−１，１０−２，１０−３  音声デコーダ
１１  ＨＤＤ  Ｉ／Ｆ（録画再生手段）
１２  ＨＤＤ（録画再生手段）
１３  アンテナ（アナログ放送、受信手段）
１４  アナログチューナ（受信手段）
１５  ＭＰＥＧエンコーダ
１６  音声セレクタ
１７  ＤＡＣ
１８  アンプ（ＡＭＰ）
１９  スピーカ
２０  ＣＰＵ（リスト生成手段）
２１  ＲＡＭ
２２  ＲＯＭ
２３  ＲＴＣ
２４  不揮発性メモリ
２５  リモコン
２６  リモコンＩ／Ｆ
２７  ＧＵＩ生成部
２８  ＣＰＵバス
【図１】
2005109982.tif 000003
【図２】
2005109982.tif 000004
【図３】
2005109982.tif 000005
【図４】
2005109982.tif 000006
【図５】
2005109982.tif 000007
【図６】
2005109982.tif 000008
【図７】
2005109982.tif 000009
【図８】
2005109982.tif 000010
【図９】
2005109982.tif 000011
【図１０】
2005109982.tif 000012
【図１１】
2005109982.tif 000013